(57)【要約】【課題】物品の用途に合わせた収納ができる使い勝手の良い収納空間を備えるとともに、該収納空間における建物構造上の強度を十分に得ることができる建物を提供することを目的とする。【解決手段】１階の床１の一部の上に中間床２が設けられており、この中間床２と１階の床１との間が収納空間３とされた建物Ａにおいて、  前記収納空間３が耐力壁Ｂによって複数の分割収納空間４、５に分割されていることを特徴とする建物Ａ。【選択図】図１
2006265905.tif 000002
【特許請求の範囲】
【請求項１】
１階の床の一部の上に中間床が設けられており、この中間床と１階の床との間が収納空間とされた建物において、
前記収納空間が耐力壁によって複数の分割収納空間に分割されていることを特徴とする建物。  
【請求項２】
請求項１に記載の建物において、
１階の部屋に隣接して一方の前記分割収納空間が設けられているとともに、玄関室および前記一方の分割収納空間の双方に隣接して、一方の分割収納空間の床面よりも一段低い床面に設定された他方の分割収納空間が設けられていることを特徴とする建物。
【請求項３】
請求項１または２に記載の建物において、
前記一方の分割収納空間の床面と前記１階の部屋の床面とは、ほぼ等しい高さ位置となるように設けられているとともに、前記一方の分割収納空間を形成する壁に、前記１階の部屋に通じる出入り口が設けられていることを特徴とする建物。
【請求項４】
請求項２に記載の建物において、
前記他方の分割収納空間の床面と、前記玄関室の土間床面とは、ほぼ等しい高さ位置となるように設けられているとともに、前記他方の分割収納空間を形成する壁に、前記玄関室に通じる出入り口が設けられていることを特徴とする建物。
【請求項５】
請求項１〜４のいずれか一項に記載の建物において、
前記一方の分割収納空間の天井高は０．９ｍ〜１．４ｍに設定されていることを特徴とする建物。
【発明の詳細な説明】
【技術分野】
【０００１】
本発明は、１階の床と、この１階の床の一部の上に設けられた中間床との間が収納空間とされた建物に関する。
【背景技術】
【０００２】
従来より、住宅等の建物において物品を保管、収容する場所として、建物内部には押入や納戸、床下収納庫、小屋裏収納部、天井裏収納部等の収納スペースが設けられ、また、屋外には物置等が設置されることがある。
【０００３】
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれていた。
【０００４】
このような要望に対して、本出願人は、建物の内部に大型収納空間を設けるとともに、この収納空間と同じ床レベルの居室を隣接して設け、さらに、当該居室に収納空間への出入り口を設けた建物を提案した（特許文献１参照）。
【特許文献１】特開２００４−１１３３６号公報
【発明の開示】
【発明が解決しようとする課題】
【０００５】
上記特許文献１のような建物によれば、上階の床と下階の床との間のスキップ床の床レベルに収納空間が設けられているため、上階の荷物と下階の荷物のいずれを収納空間へ出し入れする場合にも便利であった。
【０００６】
ところが、建物内部に設けられた収納空間に対して、例えばアウトドア用品等、建物の外部で使用する物品を収納する際には、玄関から部屋、階段等を通過して前記居室まで運ばなければならず、使い勝手が良くない場合があった。このため、建物の外部で使用する物品と、建物の中で使用する物品とを分割して収納することができるような収納空間の開発が望まれていた。
【０００７】
一方、以上のように、建物の内部に大型の収納空間を設けた場合においても、この収納空間上に位置する部屋等の荷重を確実に支持し得るために建物構造上の強度的な問題の解決も望まれていた。
【０００８】
本発明の課題は、物品の用途に合わせた収納ができる使い勝手の良い収納空間を備えるとともに、該収納空間における建物構造上の強度を十分に得ることができる建物を提供することを目的とする。
【課題を解決するための手段】
【０００９】
請求項１に記載の発明は、例えば図１または図２に示すように、１階の床１の一部の上に中間床２が設けられており、この中間床２と１階の床１との間が収納空間３とされた建物Ａにおいて、
前記収納空間３が耐力壁Ｂによって複数の分割収納空間４、５に分割されていることを特徴とする。
【００１０】
請求項１に記載の発明によれば、前記収納空間３が、前記耐力壁Ｂによって複数の分割収納空間４、５に分割されているので、収納すべき物品の用途等に合わせて使い分けることが可能となり使い勝手が良い。
また、前記収納空間３のような空間を前記耐力壁Ｂによって複数の分割収納空間４、５に分割しているので、前記収納空間３上に設けられた前記中間床２を前記耐力壁Ｂによって確実に支持することができるような十分な強度を得ることができる。
【００１１】
請求項２に記載の発明は、例えば図１に示すように、請求項１に記載の建物Ａにおいて、
１階の部屋に隣接して一方の前記分割収納空間４が設けられているとともに、玄関室６および前記一方の分割収納空間４の双方に隣接して、一方の分割収納空間４の床面よりも一段低い床面に設定された他方の分割収納空間５が設けられていることを特徴とする。
【００１２】
請求項２に記載の発明によれば、前記一方の分割収納空間４は１階の部屋に隣接し、前記他方の分割収納空間５は玄関室６および前記一方の分割収納空間４に隣接しているので、建物Ａの外部で使用する物品と、建物Ａの中で使用する物品とを区別して収納することができ、使い勝手が良い。
さらに、前記他方の分割収納空間５は、前記一方の分割収納空間４の床面よりも一段低い床面に設定されているので、前記一方の分割収納空間４よりも収納スペースを高くとることができ、高さの高い物品や丈の長い物品等を収納することが可能となる。
【００１３】
請求項３に記載の発明は、例えば図１に示すように、請求項１または２に記載の建物Ａにおいて、
前記一方の分割収納空間４の床面と前記１階の部屋の床面とは、ほぼ等しい高さ位置となるように設けられているとともに、前記一方の分割収納空間４を形成する壁に、前記１階の部屋に通じる出入り口４ａが設けられていることを特徴とする。
【００１４】
請求項３に記載の発明によれば、前記一方の分割収納空間４の床面と前記１階の部屋の床面とが、ほぼ等しい高さ位置となるように設けられているので、前記一方の分割収納空間４と前記１階の部屋とを簡単に行き来することができ、建物Ａの内部で使用する物品の搬入および搬出がしやすい。
【００１５】
請求項４に記載の発明は、例えば図１に示すように、請求項２に記載の建物Ａにおいて、
前記他方の分割収納空間５の床面と、前記玄関室６の土間床面６ａとは、ほぼ等しい高さ位置となるように設けられているとともに、前記他方の分割収納空間５を形成する壁に、前記玄関室６に通じる出入り口５ａが設けられていることを特徴とする。
【００１６】
請求項４に記載の発明によれば、前記出入り口５ａを通じて前記他方の分割収納空間５と玄関室６とを簡単に行き来することができ、建物Ａの外部で使用する物品の搬入および搬出がしやすい。しかも、前記他方の分割収納空間５の床面と、前記玄関室６の土間床面６ａとは、ほぼ等しい高さ位置となるように設けられているので、重量物であっても搬入および搬出がしやすい。
【００１７】
請求項５に記載の発明は、例えば図１または図２に示すように、請求項１〜４のいずれか一項に記載の建物Ａにおいて、
前記一方の分割収納空間４の天井高は０．９ｍ〜１．４ｍに設定されていることを特徴とする。
【００１８】
請求項５に記載の発明によれば、前記一方の分割収納空間４の天井高を、０．９ｍ〜１．４ｍに設定することによって、人が前記一方の分割収納空間４に入って、何とか作業ができる最低限の高さを確保でき、また、このように天井高を必要最小限に抑えることで、建物Ａの高さが高くなることによって隣接する建物に及ぼす日照減少等の影響を極力少なくすることができる。
【発明の効果】
【００１９】
本発明によれば、前記収納空間が前記耐力壁によって複数の分割収納空間に分割されて構成されているので、収納すべき物品の用途等に合わせて使い分けることが可能となり使い勝手が良い。
また、前記収納空間のような空間を前記耐力壁によって複数の分割収納空間に分割しているので、前記収納空間上に設けられた前記中間床を前記耐力壁によって確実に支持することができるような十分な強度を得ることが可能となる。
【発明を実施するための最良の形態】
【００２０】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２１】
本実施の形態の建物Ａは、図１に示すように、１階の床１の一部の上に中間床２が設けられており、この中間床２と１階の床１との間が収納空間３とされた建物Ａであり、
前記収納空間３が耐力壁Ｂによって複数の分割収納空間４、５に分割されている。
【００２２】
前記中間床２は、図１または図２に示すように、１階の床１の上側上方に設けられており、この中間床２と１階の床１との間が収納空間３とされている。
また、前記中間床２は、前記１階の床１から半階あがった位置に設けられており、この中間床２の上部には、中間階の部屋２ａが設けられている。さらに、この中間階への昇降手段として、階段２ｂが設けられている。
【００２３】
前記収納空間３は、図１に示すように、耐力壁Ｂによって複数の分割収納空間４、５に分割されている。
また、前記複数の分割収納空間４、５は、１階の部屋に隣接して一方の前記分割収納空間４が設けられているとともに、玄関室６および前記一方の分割収納空間４の双方に隣接して、一方の分割収納空間４の床面よりも一段低い床面に設定された他方の分割収納空間５が設けられている
このような複数の分割収納空間４、５によれば、前記一方の分割収納空間４は１階の部屋に隣接し、前記他方の分割収納空間５は玄関室６および前記一方の分割収納空間４に隣接しているので、建物Ａの外部で使用する物品と、建物Ａの中で使用する物品とを区別して収納することができ、使い勝手が良い。
さらに、前記他方の分割収納空間５は、前記一方の分割収納空間４の床面よりも一段低い床面に設定されているので、前記一方の分割収納空間４よりも収納スペースを高くとることができ、高さの高い物品や、丈の長い物品等を収納することができるようになっている。
【００２４】
また、前記一方の分割収納空間４の床面と前記１階の部屋の床面とが、ほぼ等しい高さ位置となるように設けられているとともに、前記一方の分割収納空間４を形成する壁に、前記１階の部屋に通じる出入り口４ａが設けられており、これによって、前記一方の分割収納空間４と前記１階の部屋とを簡単に行き来することができ、建物Ａの内部で使用する物品の搬入および搬出がしやすくなるので使い勝手が良い。
【００２５】
なお、本実施の形態では、前記一方の分割収納空間４は、図１に示すように、前記耐力壁Ｂ１によってさらに分割されて設けられている。ここで、１階の部屋のリビング１ａに面する一方を第１の収納所４ｂ、水回り室１ｂに面する他方を第２の収納所４ｃとし、それぞれ、収納すべき物品の用途に合わせて区別して収納することができるようになっているものとする。
また、前記リビング１ａは、図１または図２に示すように前記中間床２の高さと、この中間床２から２階の床７までの高さとを合わせた高さの吹抜け空間となっている。
【００２６】
一方、前記他方の分割収納空間５の床面と、前記玄関室６の土間床面６ａとが、ほぼ等しい高さ位置となるように設けられているとともに、前記他方の分割収納空間５を形成する壁に、前記玄関室６に通じる出入り口５ａが設けられており、これによって、前記出入り口５ａを通じて前記他方の分割収納空間５と玄関室６とを簡単に行き来することができ、建物Ａの外部で使用する物品の搬入および搬出がしやすくなるので使い勝手が良い。
しかも、前記他方の分割収納空間５の床面と、前記玄関室６の土間床面６ａとは、ほぼ等しい高さ位置となるように設けられているので、重量物であっても搬入および搬出がしやすい。
【００２７】
また、前記一方の分割収納空間４は、図示はしないが、その床面から前記中間床２までの天井高が０．９ｍ〜１．４ｍに設定されている。
このように、前記一方の分割収納空間４の天井高を、０．９ｍ〜１．４ｍに設定することによって、人が前記一方の分割収納空間４に入って、何とか作業ができる最低限の高さを確保でき、また、このように天井高を必要最小限に抑えることで、建物Ａの高さが高くなることによって隣接する建物Ａに及ぼす日照減少等の影響を極力少なくすることができる。
【００２８】
前記耐力壁Ｂは、地震力や風圧力による水平方向の力に対抗することができるように、一定の枠組材と面材とで耐力壁Ｂパネルとして構築されている。前記面材としては例えば、構造用合板、パーティクルボード、石膏ボード等が用いられている。
【００２９】
前記玄関室６は、図１に示すように、前記他方の分割収納空間５に隣接し、かつ、前記他方の分割収納空間５の床面とほぼ等しい高さ位置に土間床面６ａが形成されている。また、前記一方の分割収納空間４と同じ高さ位置、すなわち、１階の床１と同じ高さ位置に、前記土間床面６ａよりも一段高い玄関ホール６ｂが設けられている。
さらに、前記玄関室６から前記他方の分割収納空間５まで移動する際には、前記玄関ホール６ｂの脇を通過するようにして移動できる構造となっている。すなわち、前記玄関室６に対して前記他方の分割収納空間５は平面視略Ｌ字状に形成された前記土間床面６ａを介して、前記玄関ホール６ｂを挟むような位置に設けられている。これにより、前記他方の分割収納空間５と前記玄関室６との境界に戸を設ける必要が無く、例えば、前記他方の分割収納空間５を靴置き場や傘置き場等に使用した場合に、来客に見られることも無いので見映えが良い。
そして、この玄関室６は、図１または図２に示すように、前記中間床２の高さと、この中間床２から２階の床７までの高さとを合わせた高さの吹抜け空間となっている。
【００３０】
なお、以上のように、前記他方の分割収納空間５は、様々な物品を収納することができるが、他にも、例えばペットの飼育場として使用することもできる等、多目的空間として使用することができ使い勝手が良い。  
【００３１】
一方、以上のような構成の建物Ａの１階および収納空間３の上部には、図２または図３に示すように、中間階および２階が設けられている。
すなわち、上述したように、前記中間床２の上部には、前記中間階の部屋２ａが設けられており、本実施の形態では、ダイニング・キッチン２ａとして設けられている。
このように中間床２上に設けられた部屋２ａは、上述したように、この中間床２の下部に位置する前記一方の分割収納空間４が前記耐力壁Ｂによって分割された状態となっている。つまり、前記耐力壁Ｂによって前記中間床２が確実に支持されており、地震力や風圧力による水平方向の力に対して十分な強度を得ることができるようになっている。
【００３２】
さらに、前記中間床２から階段２ｃで上がった位置に、前記１階の水回り室１ｂおよび１階の部屋１ｃの上方に位置する中間階の収納室２ｄが設けられている。
なお、この中間階の収納室２ｄにおいても、前記一方の分割収納空間４と同じように、その床面から前記天上までの天井高が０．９ｍ〜１．４ｍに設定されている。
【００３３】
そして、前記２階は、前記中間階の収納室２ｄから階段７ａで上がった位置に前記２階の床７が設けられており、複数の部屋７ｂ、７ｃ、７ｄに分かれて設けられている。
【００３４】
なお、本実施の形態の建物Ａは、以上のような間取りで構成されているが、これに限られるものではなく、本発明の要旨を逸脱しない範囲で適宜変更可能であることは言うまでもない。
【００３５】
本実施の形態の建物Ａによれば、前記収納空間３が前記耐力壁Ｂによって複数の分割収納空間４、５に分割されて構成されているので、収納すべき物品の用途等に合わせて使い分けることが可能となり使い勝手が良い。
また、前記収納空間３のような空間を前記耐力壁Ｂによって複数の分割収納空間４、５に分割しているので、前記収納空間３上に設けられた前記中間床２を前記耐力壁Ｂによって確実に支持することができるような十分な強度を得ることが可能となる。
【図面の簡単な説明】
【００３６】
【図１】本発明の建物における１階部分の間取り図である。
【図２】図１に示す建物の中間階部分の間取り図である。
【図３】図１に示す建物の２階部分の間取り図である。
【符号の説明】
【００３７】
Ａ  建物
Ｂ  耐力壁
１  １階の床
２  中間床
３  収納空間
４  一方の分割収納空間
５  他方の分割収納空間
【図１】
2006265905.tif 000003
【図２】
2006265905.tif 000004
【図３】
2006265905.tif 000005